【事件の表示】
　特許第２７８５０１３号「遊技機」の特許に対する特許異議の申立てについて、次のとおり決定する。
【結論】
　特許第２７８５０１３号の特許を維持する。
【理由】
（１）本件発明
　特許第２７８５０１３号に係る発明についての出願は、昭和６１年６月１９日に特許出願した特願昭６１−１４４３４４号の一部を平成９年４月２８日に新たな特許出願（特願平９−１１０５５５号）とし、更にその特許出願の一部を平成９年５月２８日に新たな特許出願とし、平成１０年５月２９日にその発明について特許の設定登録がなされた後、その特許について、特許異議申立人アルゼ株式会社より特許異議の申し立てがなされたものである。
（２）特許異議申立てについて
ア．本件発明の要旨
　特許第２７８５０１３号の発明（以下、「本件発明」という。）の要旨は、特許明細書及び図面の記載からみて、その特許請求の範囲第１項に記載されたとおりのものである。
「１．電気的遊技装置が配設された遊技盤を遊技機本体に対し着脱交換可能に構成して、遊技盤を入れ替えできるようにした遊技機において、
　上記電気的遊技装置等の遊技制御を行うための遊技制御回路と、遊技において賞が発生した際に球排出装置を作動させて所要数の球を排出する制御を行うための排出制御回路とを個別分離して構成し、
　上記排出制御回路は、上記球排出装置と、該球排出装置に貯留タンクから導出された球を流下案内し且つ該球排出装置から排出された球を流下案内する球流下樋等により構成される球流下機構が設けられた裏機構盤に装着され、
　上記球排出装置は複数の構成部材を機能的に集約させたユニット構造に形成され、当該ユニット構造を有する球排出装置は上記球流下樋の所定部位に着脱可能に装着されていることを特徴とする遊技機。」
イ．申立ての理由の概要
　特許異議申立人アルゼ株式会社は、証拠として甲第１号証（特開昭５９−２０９３７３号公報）、甲第２号証（実願昭５７−１２６８９０号（実開昭５９−３３４７３号）のマイクロフィルム）、甲第３号証（実願昭５５−１０９７２４号（実開昭５７−３４２７７号）のマイクロフィルム）、甲第４号証（実願昭５９−１７０２５９号（実開昭６１−８５２７４号）のマイクロフィルム）、甲第５号証（実願昭５８−１５３３０号（実開昭５９−１２２１８５号）のマイクロフィルム）を提出し、本件発明は特許法第２９条第２項の規定に違反してなされたものであるから、特許を取り消すべき旨主張している。
（３）申立人が提出した甲各号証記載の発明
ア．甲第１号証（特開昭５９−２０９３７３号公報）
　各パチンコ機に隣接させて設置し、遊技者が硬貨を投入するとパチンコ機前面の供給皿に打球を排出すると共に、パチンコ機で発射した打球が賞態様を形成するとパチンコ機からの信号によって供給皿又は受皿へ賞としての打球を賞態様に応じて排出するパチンコ機の球供給装置が記載され、
　パチンコ機に関して、特別遊技装置５３等の遊技制御を行うための特別遊技制御装置５４と、遊技において賞が発生した際に球排出装置７を作動させて所要数の球を排出する制御を行う電気的制御装置１１とを分離して構成したことが記載されている。
イ．甲第２号証（実願昭５７−１２６８９０号（実開昭５９−３３４７３号）のマイクロフィルム）
　遊技盤を着脱自在構造とし、その交換により経済的に新種の遊技に対応できる所謂分離式パチンコ機において、遊技盤および新種遊技に対応して構成された制御装置の新旧交換が容易かつ迅速にできるようにしたパチンコ機が記載され、
　分離式パチンコ機において、遊技盤裏側の各種電気配線をコネクタを用いて合理化する（容易に分離可能な構造とした）ことにより、パチンコ機の製造組立時かつ遊技店での設置時さらには設置後の保守点検時において不便を解消し得ることが記載され、
　第４図に示すように、ゲーム装置１１の駆動装置２１等の電気的駆動手段が、コネクタ部材３０及び４１を介して制御装置４０に接続されることが記載されている。
ウ．甲第３号証（実願昭５５−１０９７２４号（実開昭５７−３４２７７号）のマイクロフィルム）
　電気的遊技装置である中央入賞装置１０等が配設された遊技盤６を有するパチンコ機１において、遊技において賞が発生した際に賞球排出装置１８を作動させて所要数の球を排出する制御を行うための電気的制御装置１７を備えたものが記載されている。ここで、電気的制御装置１７は、上記賞球排出装置１８と、該球排出装置に貯留タンク１９から導出された球を流下案内する導出樋２０及び該球排出装置から排出された球を流下案内する排出樋２１等により構成される球流下機構とが設けられた遊技盤６の裏側に装着されていることが記載されている。
エ．甲第４号証（実願昭５９−１７０２５９号（実開昭６１−８５２７４号）のマイクロフィルム）
　パチンコ遊技機の賞球排出装置や自動玉貸し機等に使用されるパチンコ球排出装置と、これを作動させて所要数の球を排出する制御を行う制御装置とを含む構成が開示され、
　実施例の制御装置１３は、球排出装置３０と、該球排出装置３０に補給設備から導出された球を流下案内する玉案内路３１及び該球排出装置３０から排出された球を流下案内する玉排出路３３等により構成される球流下機構が設けられたドア部１２の内側に装着され、
　また、球排出装置３０は、複数の構成部材を機能的に集約させたユニット構造に形成され、上記球流下樋の所定部位に着脱可能に装着され、
　更に第２図に示されているように、球排出装置３０は、球の流下制御を行う阻止部材３１５に作用する電気的駆動手段であるソレノイド３２２を有し、センサ３１４（第３図）に接続したリード線の上端にはコネクタが設けられ、
　制御装置１３は、ソレノイド３２２を励磁して阻止部材３１５に回動力を加える一方、センサ３１４からの検出信号に基づいてソレノイド３２２を消磁することが記載されている。
オ．甲第５号証（実願昭５８−１５３３０号（実開昭５９−１２２１８５号）のマイクロフィルム）
　遊技盤を有するパチンコ機において、遊技において賞が発生した際に景品玉ケース１を作動させて所要数の球を排出する制御を行うための排出制御装置として、溜め部３上下の上方弁４及び下方弁５と、入賞玉によって上動する操作杆８の上端に連結した開閉作動板９とを含む機構を備えたものが記載され、
　この排出制御装置は、景品玉ケース１と、該球排出装置に補給設備から導出された球を流下案内し且つ景品玉ケース１から排出された球を流下案内する球流下樋（第１図に示すように、溜め部３の上方及び下方に位置した玉案内路）等により構成される球流下機構が設けられた機構板２に装着され、
　上記景品玉ケース１は、複数の構成部材を機能的に集約させたユニット構造に形成され、上記球流下樋の所定部位に着脱可能に装着されることが記載されている。
（４）本件発明と申立人が提出した甲各号証記載の発明との対比・判断
　本件発明と、申立人が提出した甲第１号〜甲第５号証に記載された発明とを対比する。
　甲第１号証〜第５号証に記載された発明は、本件発明の要旨である「上記電気的遊技装置等の遊技制御を行うための遊技制御回路と、遊技において賞が発生した際に球排出装置を作動させて所要数の球を排出する制御を行うための排出制御回路とを個別分離して構成し、
　上記排出制御回路は、上記球排出装置と、該球排出装置に貯留タンクから導出された球を流下案内し且つ該球排出装置から排出された球を流下案内する球流下樋等により構成される球流下機構が設けられた裏機構盤に装着され」る構成を備えておらず、また、これを示唆する記載も認められない。
　本件発明は、上記構成を備えることにより、「各制御回路自体を比較的小型化することができ、各種の部品が配設されている遊技機裏側におけるこれら制御回路の取付け位置の自由度を拡大することができる」という顕著な効果を奏するものであるから、本件発明が、これら甲各号証に基づいて、当業者に容易に発明をすることができたものとすることはできない。
　申立人は、その異議申立書で、「甲第３号証では、電気的制御装置１７は、上記賞球排出装置１８と該球排出装置に貯留タンク１９から導出された球を流下案内し且つ該球排出装置から排出された球を流下案内する導出樋２０及び排出樋２１等により構成される球流下機構が設けられた遊技盤６の裏側に装着されていること、甲第４号証では、制御装置１３は、球排出装置３０と、該球排出装置３０に補給設備から導出された球を流下案内し且つ該玉排出装置３０から排出された球を流下案内する玉案内路３１及び球排出路３３等により構成される球流下機構がドア部１２の内側装着されていることから、構成要件Ｃのようにすることは容易である」旨主張している。
　しかしながら、甲第３号証の電気的制御装置１７及び甲第４号証の制御装置１３は、本件発明のように遊技制御回路と排出制御回路とを個別分離したものの一方である排出制御回路とは認められないので、甲第３号証と甲第４号証のこれらの記載から、「上記排出制御回路は、上記球排出装置と、該球排出装置に貯留タンクから導出された球を流下案内し且つ該球排出装置から排出された球を流下案内する球流下樋等により構成される球流下機構が設けられた裏機構盤に装着され」るように構成することは容易であるとすることはできず、この主張を採用することはできない。
（５）むすび
　以上のとおりであるから、特許異議申立ての理由及び証拠によっては本件発明についての特許を取り消すことはできない。
　また、他に本件発明についての特許を取り消すべき理由を発見しない。
　よって、結論のとおり決定する。
【異議決定日】
平成１１年７月２日（１９９９．７．２）